(57)【特許請求の範囲】
【請求項１】
遊技結果に応じて遊技媒体が払い出される遊技機であって、
遊技媒体を払い出す払出口、及び
払い出された遊技媒体を貯留する貯留スペースと該貯留スペースの上方にて開口する開口部とを有する貯留ボックス、を備え、
前記開口部には、遊技者が遊技媒体の貯留及び携行に用いる可搬ボックスの底部に当接し、前記貯留スペースの上方にて前記可搬ボックスを支持する支持フレームが設けられ、
前記支持フレームは、該支持フレームに支持された前記可搬ボックスの底部において前記払出口に近接する部分である底部払出口側端部に当接する払出口側フレーム部を有し、該払出口側フレーム部は、前記可搬ボックスの下面に当接する下面当接部と、該下面当接部に立設されて前記可搬ボックスの側面に当接する側面当接部とを有することを特徴とする遊技機。
【請求項２】
前記払出口側フレーム部が有する前記側面当接部は、遊技媒体が払い出される方向である前記払出口の向きに対して略平行に延設されており、前記側面当接部の外方には、前記払出口から払い出される遊技媒体が通る隙間が設けられていることを特徴とする請求項１に記載の遊技機。
【請求項３】
前記側面当接部は、前記可搬ボックスが有する側面のうち、後側に位置する面に当接するように構成されていることを特徴とする請求項１又は２に記載の遊技機。
【請求項４】
前記払出口は、前記貯留スペースに近接し且つ前記支持フレームの外方に位置していることを特徴とする請求項１乃至３の何れかに記載の遊技機。
【請求項５】
前記支持フレームのうち前記可搬ボックスの底部後端部に当接する後側フレーム部は、前記貯留ボックスの開口部の前縁部から所定距離だけ後方の位置にて左右方向に延設されており、
前記可搬ボックスは、その底部後端部が前記後側フレーム部に当接すると共に、底部前端部が前記貯留ボックスの開口部に嵌入することで、後部に対して前部が下方に位置するように傾斜した状態で支持されるように構成されていることを特徴とする請求項１乃至４の何れかに記載の遊技機。
【発明の詳細な説明】
【技術分野】
【０００１】
本発明は、遊技結果に応じてメダル等の遊技媒体が払い出される遊技機に関する。
【背景技術】
【０００２】
従来、遊技者がメダル等の遊技媒体を投入することでゲームに参加でき、そのゲームの結果に応じて所定枚数の遊技媒体が払い出される遊技機がある。この種の遊技機は、ゲーム内容が表示される遊技フィールドを備える他、プレイ中の遊技者の近傍位置に、遊技媒体の投入口、操作部、各種の表示部、及び、払い出された遊技媒体を貯留する貯留ボックスなどを備えている。また、遊技機を管理する店舗では、一般的に、遊技者が遊技媒体を貯留及び携行するための可搬型のボックスを提供している。従って、遊技者は、この可搬ボックスに自身の遊技媒体を入れ、所望の遊技機に持ち運んでプレイする。そして、ある遊技機でプレイした後は、獲得した（払い出された）遊技媒体を自身の可搬ボックスに入れ、別の遊技機に可搬ボックスを持ち運び、そこで再びプレイすることができる。
【０００３】
ところで、遊技機でプレイする際、持ち運んだ可搬ボックスは足元の床面に置かれたり、遊技者が座る椅子の片隅に置かれたり、椅子に座った遊技者の膝上に置かれたりしていた。しかしながら、可搬ボックスを床面に置くと、プレイの際に遊技媒体を取り出すのに不便であり、他の遊技者の歩行の邪魔になる。また、椅子の片隅や遊技者の膝上に置くと、遊技者の姿勢を拘束すると共に、誤って落下させてしまう可能性がある。そこで、このような事情を鑑みて、遊技機が備える貯留ボックスの前面部分に、係止溝又は係止突起などを設けて、可搬ボックスを貯留ボックスの手前に懸架するようにした構成が提案されている（特許文献１，２参照）。
【先行技術文献】
【特許文献】
【０００４】
【特許文献１】特許第４５７００２４号公報
【特許文献２】特許第４６５４３９７号公報
【発明の概要】
【発明が解決しようとする課題】
【０００５】
しかしながら、上記特許文献１，２に開示された構成では、可搬ボックスを適切に懸架しなければ外れて落下してしまう可能性が否めない。また、貯留ボックスに対して遊技者側に可搬ボックスが懸架されるため、適切に懸架されていたとしても、遊技者の身体（膝など）が接触して落下する可能性もある。更に、可搬ボックスの寸法分だけ、遊技者は遊技機から余分に離れる必要があるため、遊技者に多少なりとも不自然な姿勢を強要することとなって好ましくない。
【０００６】
一方、遊技者によっては、貯留ボックスが十分に大きいとその中に可搬ボックス全体を入れてしまうこともあり得る。しかしながら、この場合には貯留ボックスの容量が少なくなり、払い出された遊技媒体を十分に貯留できなくなる。また、遊技媒体の払出口を可搬ボックスが塞いでしまい、遊技媒体を払い出せなくなる可能性もある。
【０００７】
そこで本発明は、遊技者との接触による落下を防止でき、貯留ボックスの容量減少や払出口が塞がれることのないように、可搬ボックスを載置することのできる遊技機を提供することを目的とする。
【課題を解決するための手段】
【０００８】
本発明に係る遊技機は、遊技結果に応じて遊技媒体が払い出される遊技機であって、遊技媒体を払い出す払出口、及び払い出された遊技媒体を貯留する貯留スペースと該貯留スペースの上方にて開口する開口部とを有する貯留ボックス、を備え、前記開口部には、遊技者が遊技媒体の貯留及び携行に用いる可搬ボックスの底部に当接し、前記貯留スペースの上方にて前記可搬ボックスを支持する支持フレームが設けられている。
【０００９】
このような構成とすることにより、遊技機の貯留ボックスの上部にて可搬ボックスを安定的に支持することができる。従って、遊技者の身体の接触による可搬ボックスの落下を防止することができる。また、貯留ボックスの貯留スペースの減少を回避でき、多くの遊技媒体を貯留ボックス内に溜められると共に、払出口が可搬ボックスによって塞がれるのを防止することができる。
【００１０】
また、前記支持フレームは、該支持フレームに支持された前記可搬ボックスの底部において前記払出口に近接する部分である底部払出口側端部に当接する払出口側フレーム部を有し、該払出口側フレーム部は、前記可搬ボックスの下面に当接する下面当接部と、該下面当接部に立設されて前記可搬ボックスの側面に当接する側面当接部とを有していてもよい。このような構成とすることにより、可搬ボックスの底端部の位置を規制することができ、可搬ボックスを安定的に支持することができる。
【００１１】
また、前記払出口側フレーム部が有する前記側面当接部は、遊技媒体が払い出される方向である前記払出口の向きに対して略平行に延設されており、前記側面当接部の外方には、前記払出口から払い出される遊技媒体が通る隙間が設けられていてもよい。このような構成とすることにより、払い出される遊技媒体が支持フレーム（特に、払出口側フレーム部）に干渉するのを防止することができる。
【００１２】
また、前記側面当接部は、前記可搬ボックスが有する側面のうち、後側に位置する面に当接するように構成されていてもよい。このような構成とすることにより、可搬ボックスの底部後端部の位置を規制できる。そのため、可搬ボックスが後方遠くに載置され、遊技者から見た遊技フィールドの視界が妨げられるのを防止できる。なお、本明細書で用いる方向の概念は、特に言及する場合を除き、遊技機を基準としてこれをプレイする遊技者の位置する方向を「前方」とし、反対に、遊技者から遊技機へ向かう方向を「後方」とする。
【００１３】
また、前記払出口は、前記貯留スペースに近接し且つ前記支持フレームの外方に位置していてもよい。このような構成とすることにより、支持フレームにより支持された可搬ボックスによって払出口が塞がれるのを、より確実に防止することができる。
【００１４】
また、前記支持フレームのうち前記可搬ボックスの底部後端部に当接する後側フレーム部は、前記貯留ボックスの開口部の前縁部から所定距離だけ後方の位置にて左右方向に延設されており、前記可搬ボックスは、その底部後端部が前記後側フレーム部に当接すると共に、底部前端部が前記貯留ボックスの開口部に嵌入することで、後部に対して前部が下方に位置するように傾斜した状態で支持されるように構成されていてもよい。このような構成とすることにより、可搬ボックスは、その自重によって前方（遊技者側）へ付勢される。従って、貯留ボックスの後方に払出口が設けられている場合には、可搬ボックスによって払出口が塞がれるのをより確実に防止できる。また、可搬ボックスの上部開口が遊技者側へ向くため、遊技者は可搬ボックス内の遊技媒体を取り出しやすくなる。
【発明の効果】
【００１５】
本発明によれば、遊技者との接触による落下を防止でき、貯留ボックスの容量減少や払出口が塞がれることのないように、可搬ボックスを載置することのできる遊技機を提供することができる。
【図面の簡単な説明】
【００１６】
【図１】本発明の実施の形態１に係る遊技機の全体構成を示す斜視図である。
【図２】図１に示す遊技機の側面図である。
【図３】遊技機の貯留ボックス周辺を拡大して示す図面である。
【図４】支持フレームの全体構成を示す斜視図である。
【図５】支持フレームに可搬ボックスを載置した状態を示す側面断面図である。
【図６】実施の形態２に係る遊技機の貯留ボックス近傍を拡大して示す側面断面図である。
【発明を実施するための形態】
【００１７】
以下、本発明の実施の形態に係る遊技機について図面を参照しつつ説明する。
【００１８】
（実施の形態１）
図１は、本発明の実施の形態１に係る遊技機の全体構成を示す斜視図であり、図２は、図１に示す遊技機を右側から見たときの構成を示す側面図である。図１に示すように、遊技機１は、板金やアングルなどを組み合わせて骨格が形成された本体部１０と、該本体部１０の前面上部に設けられた操作部２０とを備えている。なお本実施の形態では、遊技機１として、遊技媒体であるメダルを投入することによって遊技者にプレイする権限が与えられ、そのプレイ結果に応じて所定枚数のメダルが遊技者に払い出されるタイプのものを例示する。例えば、プレイ結果としては、メダルの落下、抽選での当選、クレジットされたメダルを払い出す操作などが例として挙げられ、遊技機１は、このようなプレイ結果に応じてメダルが払い出されるものである。
【００１９】
図２に示すように、本体部１０は、ゲーム内容を表示する遊技フィールド１１が上部に備え付けられ、その下方には、メダルの投入の有無、投入枚数、ゲームの進行、払出枚数などを管理する制御部１２と、払い出し用のメダルをストックするメダル収容部（図示せず）とが備えられるようになっている。また、本体部１０の前部には両開きの扉１３が設けられており、この扉１３を開くことによって本体部１０内を視認及び検査できるようになっている。
【００２０】
操作部２０は、上述した扉１３の上方に設けられており、遊技者がメダルの投入や各種の操作を行うための操作パネル２１を備えている。該操作パネル２１は、本体部１０の左右部分から前方へ突出した側方突出部２１Ｌ，２１Ｒと、これらの側方突出部２１Ｌ，２１Ｒの間に架け渡された中央平板部２１Ｃと、を有している。このような操作パネル２１の上面は水平面を成しており、側方突出部２１Ｌ，２１Ｒの上部には、メダルを投入するための投入口２２と遊技者がプレイの際に操作するレバー及びボタンなどの操作具２３とが夫々配設されている。また、各側方突出部２１Ｌ，２１Ｒの前部には、下端部を軸にして上端部が下方へ開く扉２４が設けられ、操作パネル２１内を適宜メンテナンス可能になっている。なお、投入口２２へ投入されたメダルは、該投入口２２と接続されたノズル２５を通じて遊技フィールド１１へ送り出されるようになっている。
【００２１】
なお、遊技フィールド１１の具体的構成は図示していないが、投入されたメダルを使用して所定の遊技結果を出力できる構成であれば特に限定されない。例えば、遊技機１がプッシャー型メダルゲーム機である場合には、遊技フィールド１１として、投入口２２から投入されたメダルが載置される載置面と、載置されたメダルを押し出すように往復動する可動プレートと、可動プレートによって押し出されたメダルが落下する落下口とを備える構成とすることができる。この場合、落下したメダルは、後述する払出口３０を通じて、本体部１０外に設けられた貯留ボックス３１へ払い出される。
【００２２】
図１に示すように、操作パネル２１の中央平板部２１Ｃの下方には、メダルが払い出される払出口３０と、払い出されたメダルを貯留するための貯留ボックス３１とが備えられている。本実施の形態に係る遊技機１では、この貯留ボックス３１の上部に可搬ボックスＢを載置できるようになっている。そこで、以下では、このような貯留ボックス３１周辺の構成について更に詳述する。なお、可搬ボックスＢとは、上部が開口した直方体形状を成すメダル入れであり、一般的には、遊技機１を設置及び管理している店舗から、来店した遊技者に対して貸し出される。従って、遊技者は、可搬ボックスＢに自身のメダルを入れて店舗内を持ち運ぶことができる。
【００２３】
図３は、遊技機１の貯留ボックス３１周辺を拡大して示す図面であり、（ａ）は正面図、（ｂ）は（ａ）のＢ−Ｂ線での平面断面図、（ｃ）は（ａ）のＣ−Ｃ線での側面断面図である。図３（ａ）に示すように、操作パネル２１の中央平板部２１Ｃの下方であって、側方突出部２１Ｌ，２１Ｒにより左右から挟まれた部分には余剰スペース３２が形成されている。貯留ボックス３１は、上記の余剰スペース３２の下方に設けられ、且つ、余剰スペース３２の奥側（後側）を画定する鉛直後壁面３２ａに対して前方へ突設されている。
【００２４】
貯留ボックス３１は外観が横長の直方体形状を成しており、図３（ｃ）に示すように、外観形状を画定する直方体形状の外壁３３とその内方に設けられた内壁３４とを備えている。貯留ボックス３１は、その底部及び前部が、これら外壁３３及び内壁３４によって二重壁構造になっている。そして、上部には平面視で長方形状の開口部３５が形成され（図３（ｂ）参照）、内部にはメダルを貯留する貯留スペース３６が形成されている。
【００２５】
より詳しく説明すると、内壁３４のうち、貯留ボックス３１の底部に対応する部分（内壁底部）３４ａは、後部から前部へ至るに従って下方に位置する前傾面を形成している。この内壁底部３４ａの前端部は、側面視で円弧状を成す湾曲部３４ｂを介して、貯留ボックス３１の前部に対応する部分（内壁前部）３４ｃに接続されている。内壁前部３４ｃは、外壁３３からの距離が比較的小さい（即ち、二重壁部分の厚み寸法が小さい）下側部分と、該下側部分よりも後方に膨出した上側部分とを有し、これら下側部分及び上側部分は曲面によって滑らかに接続されている。
【００２６】
なお、外壁３３の前壁部及び左右の側壁部は、上端部分が内方へ向かって直角に屈曲することで、所定の幅寸法を有するフランジを形成している。そして、このフランジは、開口部３５の開口形状を画定する開口縁部３５ａを成している。
【００２７】
一方、本実施の形態では、貯留ボックス３１の後部右上の位置に払出口３０が配設されている。該払出口３０は、遊技機１の本体部１０内に備えられたメダル収容部から、ゲーム結果に応じて送り出されたメダルを排出する。払出口３０から排出されたメダルは、開口部３５を通じて貯留ボックス３１内の後部に入る。従って、貯留スペース３６内の貯留メダルが少なく、内壁底部３４ａが露出している場合、払い出されたメダルは前傾面を成す内壁底部３４ａにて跳ね返って前方（遊技者に近い方向）へと案内される。なお、上述したように、内壁底部３４ａの手前部分には湾曲部３４ｂが形成されているため、遊技者は、底に貯まったメダルを湾曲部３４ｂに沿って上方へ、手又は指を使って掻き出しやすくなっている。更に、湾曲部３４ｂはその上方にて膨出した内壁前部３４ｃに連なっているため、遊技者は、掻き上げたメダルを内壁前部３４ｃに沿って移動させることで、手中に掴み取りやすいようになっている。
【００２８】
このような貯留ボックス３１の上部には、可搬ボックスＢを支持するための支持フレーム４０が設けられている。図４は、支持フレーム４０の全体構成を示す斜視図である。本実施の形態に係る支持フレーム４０は、長方形状の枠状を成す合成樹脂製であり、前側フレーム部４１，後側フレーム部（払出口側フレーム部）４２，左側フレーム部４３，及び右側フレーム部４４を有している。このうち前側フレーム部４１，左側フレーム部４３，及び右側フレーム部４４は、水平面を形成する帯板状の部材で構成されている。
【００２９】
これに対して後側フレーム部（払出口側フレーム部）４２は、可搬ボックスＢの底部下面に当接する下面当接部４２ａと、可搬ボックスＢの側面（本実施の形態では、可搬ボックスＢの全側面のうち後側に位置する底部後面）に当接する後面当接部（側面当接部）４２ｂとを有している。下面当接部４２ａは、水平面を形成する帯板状の部材で構成され、左側フレーム部４３及び右側フレーム部４４の各後端部に接続されている。また、後面当接部４２ｂは鉛直面を形成する帯板状の部材で構成されており、下面当接部４２ａの後端から上方へ向けて立設されている。
【００３０】
なお、後側フレーム部４２の下面当接部４２ａと、左側フレーム部４３及び右側フレーム部４４との各接続箇所には、補強用のテーパ部４５が形成されている。従って、後側フレーム部４２に加わる荷重を、左側フレーム部４３及び右側フレーム部４４へ分散できるようになっている。また、支持フレーム４０全体の左右方向寸法は、貯留ボックス３１の上部の左右方向寸法に整合するように設計されている。更に、支持フレーム４０全体の前後方向寸法Ｄ１は、貯留ボックス３１の前後方向寸法よりも小さい所定寸法となるように設計されている。
【００３１】
また、前側フレーム部４１，左側フレーム部４３，及び右側フレーム部４４の幅寸法（即ち、各フレーム部の長手方向に直交する水平方向の寸法）は、上述した開口縁部３５ａ（図３参照）の幅寸法と略同一になっている。そして、このような支持フレーム４０は、貯留ボックス３１の上部に載置され、ビス等の締結具４６によって固定されている。より詳しくは、支持フレーム４０の前側フレーム部４１，左側フレーム部４３，及び右側フレーム部４４が、貯留ボックス３１の開口縁部３５ａの前部及び左右部分に上方から当接され、この状態で、開口縁部３５ａに対して締結具４６によって締結される。
【００３２】
その結果、貯留ボックス３１は、支持フレーム４０の各フレーム部４１〜４４で画定される所定面積の開口４７を通じて外部と貯留スペース３６との間が連通し、遊技者はこの開口４７を通じてメダルを取り出すことができる。なお、図３（ｃ）に示すように、前側フレーム部４１の幅寸法と、開口縁部３５ａの前部の幅寸法と、内壁前部３４ｃの上端部の幅寸法とは、何れも略同一寸法になっている。従って、貯留ボックス３１内のメダルを、上述したように掻き出して内壁前部３４ｃに沿って開口部３５外へ取り出す際、メダルが開口縁部３５ａや前側フレーム４１に引っ掛かることがなく、取り出しやすくなっている。
【００３３】
また、上述したように支持フレーム４０の前後方向寸法Ｄ１は、貯留ボックス３１の前後方向寸法よりも小さい所定寸法になっている。従って、図３（ｂ），（ｃ）に示すように支持フレーム４０を貯留ボックス３１に取り付けると、貯留ボックス３１の開口部３５の後部には、支持フレーム４０に占有されない隙間３７が形成される。そして、この隙間３７を通じて、払出口３０から払い出されたメダルが貯留ボックス３１内へと入るようになっている。
【００３４】
図５は、支持フレーム４０に可搬ボックスＢを載置した状態を示す側面断面図であり、（ａ）は可搬ボックスＢが水平に置かれた状態、（ｂ）は可搬ボックスＢが前傾して置かれた状態を夫々示している。図５（ａ）に示す場合、可搬ボックスＢは、その底面の前側部分が前側フレーム部４１に当接し、後側部分が後側フレーム部４２の下面当接部４２ａに当接することで、水平姿勢で支持されている。また、可搬ボックスＢは、その後面下部が後側フレーム部４２の後面当接部４２ｂに当接することで、それ以上後方へズレしないように位置が規制されている。更に、可搬ボックスＢ及び支持フレーム４０の後方では、払出口３０からのメダルが隙間３７を通じて貯留ボックス３１内へ払い出されるためのスペースが確保されている。
【００３５】
以上のような構成とすることにより、本実施の形態に係る遊技機１では貯留ボックス３１の上方に可搬ボックスＢを安定的に置くことができる。そのため、床面や椅子に置いた場合のように邪魔になることがなく、また、遊技者の身体が接触して落下するような事態が生じるのを防止することができる。また、払出口３０から貯留スペース３６へ至るルートは、可搬ボックスＢ等に塞がれることがないように確保されているため、払出口３０からのメダルは適切に貯留ボックス３１内へ払い出される。更に、支持フレーム４０により、可搬ボックスＢ全体が貯留ボックス３１内へ入らないようになっているため、可搬ボックスＢを置いた場合であっても貯留スペース３６の容量が低減しない。
【００３６】
また、支持フレーム４０は締結具４６を用いて取り付けられているため、容易に着脱することができる。従って、遊技機１を設置及び管理している店舗で使用する可搬ボックスＢの形状や寸法、あるいは遊技機１の貯留ボックス３１の形状や寸法に応じ、それらに適した支持フレーム４０を適宜容易に取り付けることが可能である。
【００３７】
次に、図５（ｂ）に示す場合について説明する。ここでは、図５（ａ）の場合に比べ、底部の前後方向寸法が若干小さい可搬ボックスＢを使った場合を示している。より具体的には、可搬ボックスＢの底部の前後方向寸法をＤ２、支持フレーム４０の前側フレーム部４１の後端から後側フレーム部４２の後面当接部４２ｂの前面までの寸法をＤ３とすると、図５（ｂ）ではＤ２＜Ｄ３となっている。
【００３８】
この場合、可搬ボックスＢは、その後側下部が支持フレーム４０の後側フレーム４２に当接する一方、その前側下部は支持フレーム４０の開口４７から下方に若干嵌入する。そして、可搬ボックスＢは、その前壁面が、支持フレーム４０の前側フレーム部４１の後端あるいは貯留ボックス３１の内壁前部３４ｃに当接することで、前傾姿勢の状態で支持される。
【００３９】
このように、可搬ボックスＢを前傾姿勢で支持する構成とした場合には、可搬ボックスＢ（及びその中のメダル）の自重により、可搬ボックスＢには前方への付勢力が作用する。従って、可搬ボックスＢが、支持フレーム４０の後側フレーム部４２を超えて更に後方へと位置ズレするのを抑制することができる。また、可搬ボックスＢが前傾姿勢となるため、遊技者は可搬ボックスＢ内のメダルを取り出しやすくなる。
【００４０】
（実施の形態２）
図６は、実施の形態２に係る遊技機１の貯留ボックス３１近傍を拡大して示す側面断面図である。図６に示すように、この貯留ボックス３１の前部には、外壁３３及び内壁３４を貫通するようにして連通口３８が形成されている。本実施の形態では、この連通口３８は貯留ボックス３１の前部の中央より若干上側に設けられており、メダルを握った状態の遊技者の手が通る開口寸法を有している。なお、遊技機１のその他の構成は、実施の形態１において説明した対応する構成と同様であるため、ここではその説明を省略する。
【００４１】
このような構成とすることにより、可搬ボックスＢを貯留ボックス３１の上方に載置した状態であっても、連通口３８を通じて、貯留ボックス３１内のメダルを取り出すことが可能である。
【００４２】
なお、上述した実施の形態１，２の説明では、いわゆるゲームセンター等の店舗に設置されるタイプの遊技機について例示したが、本発明はパチスロ機などの他の遊技機についても適用することができる。また、遊技媒体としては、メダル形状のものの他、球状のものや他の形状のものであってもよい。また、払出口３０の位置は貯留ボックス３１の後部右上に限定されない。例えば、払出口３０を支持フレーム４０の下方又は後方に位置させた場合には、支持フレーム４０又は可搬ボックスＢがメダルの払い出しを邪魔することがない。
【００４３】
また、払出口３０を、より上方に設けてもよい。例えば、貯留ボックス３１の上方に置いた可搬ボックスＢの上端位置よりも、更に上方に払出口３０を設置し、払出口３０からのメダルが、支持フレーム４０の開口４７を通じて貯留ボックス３１内へ入るようにしてもよい。この場合、可搬ボックスＢが載置されていない状態では、前述のように支持フレーム４０の開口４７を通じて貯留ボックス３１内へメダルが貯留される一方、可搬ボックスＢが載置された状態では、払出口３０からのメダルは可搬ボックスＢへ貯留される。このようにしても、可搬ボックスＢを貯留ボックス３１の上方にて安定的に載置でき、払出口３０は塞がれることはなく、貯留ボックス３１の容量が低減することもない。
【００４４】
また、実施の形態１，２では、右側後方に設けられた払出口３０から左側に向かってメダルが払い出され、隙間３７が貯留スペースの後側に設けられた例を示したが、これに限定されない。例えば、払出口３０を支持フレーム４０の右側後方（又は左側後方）に位置させた場合には、隙間３７を貯留スペース３６の右側（又は左側）に設け、この隙間３７として、払い出されるメダルと干渉しない寸法を確保すればよい。この場合、払出口側フレーム部４２の下面当接部４２ａ及び側面当接部４２ｂは、支持フレーム４０の右側に位置させる。即ち、図４に示した支持フレーム４０を参照すると、その右側フレーム部４４を、上述した下面当接部４２ａ及び側面当接部４２ｂに相当する構成を備えるようにすればよい。
【００４５】
また、側面当接部４２ｂは、払出口３０の向き（即ち、メダルが払い出される方向）に対して略平行になるように延設し、その側面当接部４２ｂの外方に隙間３７を設けるのが好ましい。例えば、実施の形態１，２のように払出口３０が左右方向に沿った向きになっている場合には、側面当接部（後面当接部）４２ｂを左右方向に沿うように延設する。また、上述したように支持フレーム４０の右側（又は左側）に隙間３７を設け、支持フレーム４０の右側後方（又は左側後方）に設けた払出口３０から前方へ向かってメダルが払い出される構成の場合は、支持フレーム４０の右側部分（又は左側部分）に形成される側面当接部４２ｂを前後方向に沿うように延設する。このようにすると、払い出されるメダルが支持フレーム４０に干渉するのを防止することができる。
【００４６】
また、上述した説明では、支持フレーム４０が前後左右の４つのフレーム部４１〜４４を備える構成を示したが、これに限られない。例えば、支持フレーム４０が後側フレーム部４２，左側フレーム部４３，及び右側フレーム部４４を備え、前側フレーム部４１を備えない構成であってもよい。あるいは、支持フレーム４０が後側フレーム部４２のみを備える構成であってもよい。但し、何れの場合であっても、少なくとも可搬ボックスＢの底部において払出口３０に近接する部分に当接する払出口側フレーム部は備える。そして、実施の形態１，２で示したように払出口側フレーム部として後側フレーム部４２を備える場合は、該後側フレーム部４２は貯留ボックス３１の開口部３５の前縁部から所定距離だけ後方に位置させることとする。それにより、図５（ａ）に示したように可搬ボックスＢを水平姿勢で支持するか、又は、図５（ｂ）に示したように可搬ボックスＢを前傾姿勢で支持するものとすることができる。
【産業上の利用可能性】
【００４７】
本発明は、遊技者との接触による落下を防止でき、貯留ボックスの容量減少や払出口が塞がれることのないように、可搬ボックスを載置することのできる遊技機に適用することができる。
【符号の説明】
【００４８】
１      遊技機
１０    本体部
２０    操作部
３０    払出口
３１    貯留ボックス
３５    開口部
３６    貯留スペース
３７    隙間
３８    連通口
４０    支持フレーム
４１    前側フレーム部
４２    後側フレーム部（払出口側フレーム部）
４２ａ  下面当接部
４２ｂ  後面当接部（側面当接部）
４３    左側フレーム部
４４    右側フレーム部
４５    テーパ部
４６    締結具
Ｂ      可搬ボックス
【図１】
0005868641.tif 000002
【図２】
0005868641.tif 000003
【図３】
0005868641.tif 000004
【図４】
0005868641.tif 000005
【図５】
0005868641.tif 000006
【図６】
0005868641.tif 000007